(57)【要約】      （修正有）【課題】組立が簡単で、コストが節約でき、安定して使用することができる洗浄液の供給が可能なモップの構造を提供する。【解決手段】洗浄液の供給が可能なモップの構造は、モップのヘッド部分1と、洗浄液貯蔵槽2と、筒型固定ふた25と、押し出しブロック26と、ハンドルとの接続管12と、ポンプの通り道に連結する湾曲管3と、押し出しブロックと洗浄液貯蔵槽底端の固定穴223の間に位置するポンプ4から成る。【選択図】図１
0003101540.tif 000002
【実用新案登録請求の範囲】
【請求項１】
その上部が結合部分によって接続管に連結しているモップのヘッド部分と、
その底部に螺旋管が伸びていて、前述の接続管に固定され、前向きに出水ノズルが設けられた洗浄液貯蔵槽と、
前述の洗浄液貯蔵槽に固定されて、漏れ防止リングによって漏れを防いでいて、さらに、その適当な位置に注入口があり、栓で封がされて、洗浄液が補充できるようになっていて、その先端には軸穴があり、軸穴の後ろの端の中心穴の縁には、Ｏ型リングがあって、固定軸栓が軸穴内に固定される筒型固定ふたと、
その一端に筒があり、下方に固定ブロックが伸びた押し出しブロックと、
前述の固定軸栓を貫通して、前述の押し出しブロックの筒にはめ込まれたハンドルとの接続管と、
その上方に固定槽があり、前述の押し出しブロックの固定ブロックがはまり込むようになっていて、適当な位置に吸入管があり、その通り道と合い通じていて、ポンプの通り道に連結する湾曲管と、
その先端の通り道が前述の湾曲管の通り道にはまり込んで、もう一方の底端のメイン押し出しパイプが洗浄液貯蔵槽底端の固定穴内にはめられ、前述の押し出しブロックと洗浄液貯蔵槽底端の固定穴の間に位置するポンプからなり、
ハンドルがポンプに対して押し出し及び元に戻る往復運動を行ない、洗浄液が吸入管からポンプ内に吸入され、さらに、ポンプ内のピストンによって洗浄液が圧縮されて、メイン押し出しパイプから出水ノズルのノズル口に進入し、必要な量を噴出するという特長を持ち、便利、且つ、組み立てが簡単で、安定した操作が行なえ、コストの削減が可能な洗浄液の供給が可能なモップの構造。
【請求項２】
その出水ノズルは、一端にカーブした回転ヘッドがあり、もう一端にはノズル口があって、その内部を出水道が貫通していて、洗浄液貯蔵槽前端の下方にはめ込み槽があり、その中心に流出口があって、周囲に止水パーツが取り付けられていて、さらに、はめ込み槽の口には突起があって、回転ヘッドが洗浄液貯蔵槽のはめ込み槽内にはまり込むようになっていて、前述の突起によって固定し、止水パーツによって漏れを防ぎ、同時に出水ノズルが上下に動くようになっている、請求項１に記載の洗浄液の供給が可能なモップの構造。
【請求項３】
筒型固定ふたの中心穴の端に、放射線状に固定歯車が設けられていて、押し出しブロックの、その対応する位置にも放射線状に固定歯車があり、互いにかみ合って、ポンプが動くのを防いでいる、請求項１に記載の洗浄液の供給が可能なモップの構造。
【請求項４】
ポンプの下方に補助スプリングがあって、ポンプの回復力を高めている、請求項１に記載の洗浄液の供給が可能なモップの構造。
【請求項５】
ポンプの先端にボール弁があり、圧縮スプリングによって支え、ポンプの先端の通り道に突き当たり、前述の圧縮スプリングのもう一方の端が止水弁に突き当たって、さらに、その止水弁がピストンを塞ぎ、前述の止水弁の下端は中間押し出しパイプに支えられ、同時に前述の中間押し出しパイプ下端がメイン押し出しパイプにはまり込み、そのメイン押し出しパイプの先端には止まりがあって、ピストンを止め、さらに、筒型栓がメイン押し出しパイプによってはまり込み、ピストンの底部内に固定されることにより、筒型栓が前述のメイン押し出しパイプを支え、同時にピストンとメイン押し出しパイプの止まりの間に適当な距離を保ち、メイン押し出しパイプの止まりに突き当たって、メイン押し出しパイプが脱出しないようにしていて、メイン押し出しパイプ下端が洗浄液貯蔵槽内底部の固定穴内にはまり込んで、ピストン底端と洗浄液貯蔵槽底端の間を支えるという特長を持つ、請求項１に記載の洗浄液の供給が可能なモップの構造。
【請求項６】
ハンドルとの接続管、押し出しブロック、ピストン、メイン押し出しパイプ、接続管、モップのヘッド部分の中心線が縦に垂直になる、請求項１に記載の洗浄液の供給が可能なモップの構造。
【請求項７】
中間押し出しパイプ、メイン押し出しパイプ、固定穴、流出口及び出水ノズルのノズル口が、洗浄液の通り道となる、請求項１に記載の洗浄液の供給が可能なモップの構造。
【請求項８】
第一実施例のポンプと第二実施例のポンプの位置が逆さまに設置され、ポンプの出口から吸入管が伸びていて、さらに、洗浄液貯蔵槽の固定柱にはまり固定され、その吸入管の底端に吸入口があって、メイン押し出しパイプが直接輸送管に接続されて、出水ノズルの出水道に至る、請求項１に記載の洗浄液の供給が可能なモップの構造。
【請求項９】
その筒型固定ふたの軸穴内に補助スプリングがあって、ハンドルとの接続管に押さえ板が固定されていて、前述の補助スプリングを固定し、さらに、固定キャップによって前述の軸穴上方に固定され、補助スプリングがハンドルの往復圧縮動作によって、軸穴内において圧縮及び元に戻る動作を行なうという特長を持つ、請求項８に記載の洗浄液の供給が可能なモップの構造。
【請求項１０】
モップのヘッド部分が、板部分及び板面からなり、そのモップのヘッド部分は同一規格の清掃布あるいは不織布との組み合わせによって使用が可能で、
п型伸縮支え棒は、それぞれ開口部の両側に、垂直で上向きの突起耳があり、内側に向かってスライド棒が伸びていて、前述の突起耳は板部分ののこぎり状固定槽から突出し、両側の突起耳は弾力があり、使用者が内側にひねって固定したり、リリースしたりでき、
板部分は、上方の適当な位置に数個の弾力性のある挟み板があって、その前後両側に、それぞれのこぎり状固定槽があって、のこぎり状固定槽には間隔をおいていくつかの固定槽が分布していて、前述の突起耳がのこぎり状固定槽内を左右に移動できるようになっていて、二つの突起耳の弾力によって、固定槽内にはまり込んで固定され、
板面は、前後両側に、それぞれ左右に傾斜した傾斜スライドがあり、それが前述の板部分と結合した時、前述の二つのп型伸縮支え棒のスライド棒がそれぞれ傾斜スライドに位置して、二つのп型伸縮支え棒はそれぞれ両側に押し出され、傾斜スライドの傾斜度に応じて外に向かって傾斜することにより、
清掃布の長さがモップのヘッド部分の長さを超えた時、п型伸縮支え棒が清掃布の両側のポケット内に入って広がり、外側に向かって傾斜するп型伸縮支え棒が清掃布両側によって導かれて、前述の板面部分の清掃布と同一面になり、清掃布の面が有効に使用でき、異なった規格の清掃布にも適用できるという特長を持つ、洗浄液の供給が可能なモップの構造。
【考案の詳細な説明】
【技術分野】
【０００１】
本考案は洗浄液の供給が可能なモップの構造に関する。本考案の洗浄液の供給が可能なモップの構造は、洗浄液貯蔵槽、ハンドル、モップのヘッド部分が分離し、組み立てると一直線に一体化して、ハンドルの往復運動により筒状の貯蔵ポンプを押して、洗浄液を送り出す機能を持つ。一つにまとまっているので、包装輸送コストが節約できる上、モップの両側に伸縮支え棒があって、異なった規格のモップへッドを取り付けることができるので、経済的な効果もある。
【背景技術】
【０００２】
板面式のモップはかなり以前から清掃用具として使用されてきた。従来のモップは全てモップへッドか、不織布を取り付けて使用するタイプのものである。その使いやすさから一般に広く受け入れられている。しかしながら、清掃の際には、水か洗浄液が必要である。清掃する部分にあらかじめ洗浄液を吹き付けてから、モップで拭き取るという形式である。このため、操作上不便な点が生じる。そこで、以下のような技術が提出された。
１、一の技術は前述のモップのハンドルの部分に洗浄液の貯蔵桶をかけるタイプである。小型の直流電動ポンプを貯蔵桶の外に取り付け、プッシュ式のスイッチをハンドルの先端に設置している。そのコードは、多節式のパイプの中を通って小型ポンプに至る。貯蔵桶の外に設置した電池を電源とし、スイッチを押してポンプを制御し、貯蔵桶の洗浄液を噴出させるのである。
２、第二の技術もまた、プッシュ式のスイッチがハンドルの先端に設置してある。この形式はエアポンプによって、サイフォンの原理を利用している。液の通り道は、ハンドルの内部をから貯蔵桶の内部に至っている。プッシュ式のスイッチを押すと、エアポンプが洗浄液を押し出すようになっている。
【考案の開示】
【考案が解決しようとする課題】
【０００３】
前述の二つの技術には、以下のような欠点が認められる。
第一の技術の欠点
１、モップのハンドルに貯蔵桶をかけるタイプのため、貯蔵桶がハンドルの外側に露出することになり、使用時、内部に洗浄液があることで重心が偏り、モップの操作が不安定になる。
２、ポンプの電力は電池によって供給している。しかしながら、消費電力が大きく、度々電池を交換する必要があり不便である。また、貯蔵桶と共に取り付けるため、湿気を受けたり、洗浄液が浸潤したりして、電池や電池ケースが腐蝕しやすい。
３、コードは多節式の連結したハンドルの内部にあり、取り付けの際に手間がかかり、コストも高くなる。さらに、別々に包装するため、体積が大きくなり、輸送材料が増え、コスト増加につながる。
４、多節式のハンドルの内部にコードを内蔵するので、決まった長さにしかできない。しかしながら、使用者の体型は一定ではなく、長さの調整ができないことは、使用上、不便が生じることになる。
５、前述のモップヘッド板は決まった規格のもので、それより長いモップヘッドは使用できない。
第二の技術の欠点
１、プッシュ式のスイッチがハンドルの先端に取り付けてあり、多節式のハンドルの内部に通路が通っている。そして、どの一節の連結部分も分離するようになっている。各節が密接に連結して、通路を形成するためには、各節の前後には、接続のための継ぎ手部分が必要となる。この連結部分の構造が不完全だと、使用中にはずれたり、液が漏れたりして作業に影響することになる。
前述の各節の組み立ては複雑であり、手間とコストがかかる。
前述の貯蔵桶はハンドルの前部にかけるようになっている。貯蔵桶がハンドルの外側に露出することになり、使用時、内部に洗浄液があることで重心が偏り、モップの操作が不安定になる。
通路が長く、操作の際、エアポンプが供給する洗浄液の噴射量が一定ではないため、時には何度もプッシュ式のスイッチを押して、必要な量を噴射することになり、時間と手間の無駄になる。
５、上述のモップヘッド板は決まった規格のもので、それより長いモップヘッドは使用できない。
【課題を解決するための手段】
【０００４】
１、考案の貯蔵桶は、直接多節式のハンドル及びモップのヘッド部分と連結しているので、貯蔵桶の重心はモップにあるため、使用時にも安定する。また、個別に分離して包装するので、包装材料の減少になり、輸送コストも節約できる。
２、本考案の貯蔵桶にはポンプがあり、その往復運動は、ハンドルの縦向きの往復運動によってポンプを圧縮するようになっている。その圧縮力は前述の電動ポンプやエアポンプより大きい。したがって、洗浄液は比較的均一に広く噴射される。
３、本考案の多節式のハンドルの内部には、いかなるパイプもコードも通っていないので、その組み立ては簡単である。したがって、組み立ての手間が省け、コストの節約が可能である。さらに、多節式のハンドルは使用者の体型に応じて長さが調節できる。
４、本考案のモップヘッド板は、その両側内部にそれぞれ伸縮支え棒があり、モップヘッド板の長さが調節できるようになっている。したがって、異なった規格のモップヘッドでも取り付けて使用できる。
【考案の効果】
【０００５】
本考案の洗浄液の供給が可能なモップの構造には以下のような効果がある。
１、組み立てが簡単で、コストの節約が可能である。さらに、分離後、包装材が少なくて済み、運輸コストも節減できるという特長がある。
２、操作が簡単で、洗浄液の噴射量が比較的大きい。
３、重心が偏ることがないので、安定して操作ができる。
４、多節式のハンドルの内部には、いかなるパイプもコードも通っていないので、随時、長さが調節できるので、あらゆる体型の使用者でも使いやすく、実用的である。
５、モップヘッド板の長さが伸縮して調整が可能なので、異なった規格のモップヘッドでも取り付けて使用することが可能で、経済的である。
【考案を実施するための最良の形態】
【０００６】
図１、図２を参照いただきたい。第一の実施例である。モップのヘッド部分１は、その上部が結合部分１１によって接続管１２に連結している。洗浄液貯蔵槽２の底部は螺旋管２１が伸びている。そして、前にはめ込み槽２２が、中央に流出口２２１があり、その流出口２２１の外側には止水パーツ２３がある。さらに、前述のはめ込み槽２２の端には四つの突起２２２がある。
【０００７】
図３を参照いただきたい。出水ノズル２４は、一端にカーブした回転ヘッド２４１があり、もう一端にはノズル口２４２がある。その内部を出水道２４３が貫通している。前述の回転ヘッド２４１は前述の突起２２２を経て前述のはめ込み槽２２内にはめ込まれる。その突起２２２は前述の回転ヘッド２４１の直径を超えていて、回転ヘッド２４１内の出水道２４３が、正常な状態で前述の流出口２２１と連結するようになっている。さらに、その出水ノズル２４は、上下に動くようになっていて、出水道２４３を流出口２２１から離脱させる。止水パーツ２３が洗浄液をストップさせるので、洗浄液が漏れ出すことはない。
【０００８】
また、洗浄液貯蔵槽２のもう一方の端は筒型固定ふた２５が取り付けられている。それは漏れ防止リング２５１によって漏れを防いでいる。さらに、筒型固定ふた２５の適当な位置に注入口２５２があって、栓２５３で封がされていて、洗浄液が補充できるようになっている。前述の筒型固定ふた２５の先端には軸穴２５４があり、軸穴２５４の後ろの端の中心穴２５４１の穴の縁には、Ｏ型リング２５４２がある。
【０００９】
さらに、前述の中心穴２５４１の端には、放射線状に固定歯車２５５が設けられている。前述の固定歯車２５５下方には押し出しブロック２６があり、その一端には筒２６１があって、さらに、前述の固定歯車２５５に対応する位置の押し出しブロック２６の端には、放射線状の固定歯車２６２があり、押し出しブロック２６の下方には固定ブロック２６３が伸びている。
【００１０】
前述の押し出しブロック２６の筒２６１はハンドルとの接続管Ａと連結し、前述の軸穴２５４の中心穴２５４１が形成される。そのハンドルとの接続管Ａの壁はちょうどＯ型リング２５４２に当たるようになっている。さらに、固定軸栓２７が前述の軸穴２５４内に固定され、Ｏ型リング２５４２及びハンドルとの接続管Ａに対して固定する。同時に、その押し出しブロック２６の固定歯車２６２は、前述の中心穴２５４１の端の固定歯車２５５と互いにかみ合う。
【００１１】
前述の押し出しブロック２６下方の固定ブロック２６３は湾曲管３上方の固定槽３１にはめ込まれる。そして、湾曲管３は吸入管３２が洗浄液貯蔵槽２内部に伸びている。その吸入管３２はその通り道３３と合い通じる位置にあって、ポンプ４のボール弁４１の端に取り付けられる。ポンプ４の先端にはボール弁４１があり、圧縮スプリング４２によってポンプ４の前部の出口４１１に押さえつけられている。
【００１２】
前述の圧縮スプリング４２のもう一方の端は止水弁４３を押さえている。この止水弁４３はピストン４４の上にあって、前述の止水弁４３下端において、中間押し出しパイプ４５の圧迫を受ける。同時に、この中間押し出しパイプ４５は、メイン押し出しパイプ４６がその下端にはめ込まれている。そのメイン押し出しパイプ４６前端の止まり４６１は、筒型栓４９にメイン押し出しパイプ４６がはめ込まれ、ポンプ４の内部に固定する。筒型栓４９は前述のピストン４４及びメイン押し出しパイプ４６の止まり４６１を支える。同時に、ピストン４４とメイン押し出しパイプ４６の止まり４６１の間には一定の距離が保たれ、メイン押し出しパイプ４６の止まり４６１に当たって、メイン押し出しパイプ４６が脱落することがない。同時に、メイン押し出しパイプ４６下端が洗浄液貯蔵槽２底部の固定穴２２３内にはめ込まれる。
【００１３】
さらに、メイン押し出しパイプ４６の外周には補助スプリング４７が取り付けられる。そして、ポンプ４底端と洗浄液貯蔵槽２の底端の間を支える。ハンドルとの接続管Ａ、押し出しブロック２６、ポンプ４、メイン押し出しパイプ４６、接続管１２、モップのヘッド部分１の中心線は、縦向きの垂直線が形成される。また、中間押し出しパイプ４５、メイン押し出しパイプ４６、固定穴２２３、流出口２２１及び出水ノズル２４のノズル口２４２が洗浄液の通り道になる。
【００１４】
図１を参照いただきたい。本考案の洗浄液の供給が可能なモップの構造を使用する前に、まず洗浄液を注入口２５２から洗浄液貯蔵槽２内に注入する。そして、栓２５３でふたをする。その操作順序は以下の通りである。
【００１５】
１、  ハンドルとの接続管Ａは体型あるいは必要に応じて、その長さが調整できる多節式のハンドルである。固定する際は、洗浄液貯蔵槽２内部のポンプ４が回転しないように、ポンプ４内の圧縮スプリング４２、及び、その下端の補助スプリング４７の、上に押し上げる力を利用する。そして、押し出しブロック２６を洗浄液貯蔵槽２内部上方の中心穴２５４１の端に当てて、押し出しブロック２６の固定歯車２６２と中心穴２５４１の端の固定歯車２５５が互いにかみ合うことによって、押し出しブロック２６及びハンドルとの接続管Ａが、多節式のハンドルの動作に伴って動くことがない。
【００１６】
２、  図４、図４Ａを参照いただきたい。本考案のモップを使用する前に、そのポンプ４内部には洗浄液Ｗは存在しない。ハンドルＡが洗浄液貯蔵槽２を垂直の位置まで立てた時、そのハンドルＡのポンプ４に対する圧縮が最も省力の状態である。したがって、ハンドルとの接続管Ａが押し出しブロック２６を圧縮し、ポンプ４を下に押し下げる。相対に、メイン押し出しパイプ４６がポンプ４内部に進入し、同時に止水弁４３を上に押し上げる。そして、まずピストン４４を離脱させ、互いの間に隙間Ｂを形成する。図５、図５Ａを参照いただきたい。前述の中間押し出しパイプ４５は引き続き、メイン押し出しパイプ４６の動きを受けて前進し、メイン押し出しパイプ４６の止まり４６１が再びピストン４４を押して、ポンプ４内部の圧縮室４８の空気を圧縮する。ボール弁４１は一方で気圧の圧迫を受け、一方で圧縮スプリング４２の圧迫を受ける。そして、出口４１１を塞ぎ、その空気はピストン４４に圧縮される。前述の隙間Ｂを経て中間押し出しパイプ４５、メイン押し出しパイプ４６、流出口２２１、出水ノズル２４のノズル口２４２に進入して、空気を放出する。
【００１７】
３、  図６、図６Ａを参照いただきたい。使用時は、ハンドルＡを引き続き押し、ポンプ４内部の圧縮スプリング４２及び補助スプリング４７の元に戻る力を利用して、ポンプ４を上を押し上げる。同時に、ピストン４４は、ポンプ４内部の摩擦力によって、ピストン４４は下の位置に戻る。同時に、止水弁４３が前述のピストン４４の位置まで下がり、隙間Ｂを塞ぐ。この時、ポンプ４が上昇し、相対にピストン４４が下降することで、ポンプ４の圧縮室４８内の空気が抜き取られ、ボール弁４１は前述の吸入力を受けて、出口４１１から離脱し、隙間Ｂ’を形成する。その吸入力は、吸入管３２によって、洗浄液Ｗを吸入し、湾曲管３、通り道３３、出口４１１、隙間Ｂ’を経て、ポンプ４の圧縮室４８に進入し、内部に一時的に保存される。
【００１８】
４、  前述の、一時保存された圧縮室４８内の洗浄液は、止水弁４３とピストン４４が密に結合することにより、漏れを防止する。図５、図５Ａを参照いただきたい。さらに、前述のステップ２のように、前述の洗浄液Ｗをピストン４４の圧縮を受けて、止水弁４３とピストン４４の間の隙間Ｂから、中間押し出しパイプ４５に押し入れられ、メイン押し出しパイプ４６、流出口２２１及び出水ノズル２４のノズル口２４２を経て、洗浄液が噴出される。
【００１９】
５、  前述のステップによって、ハンドルがポンプ４を圧縮し、元に戻すという往復運動により、必要な量の洗浄液が噴出される。
【００２０】
６、  一般にモップを使用する際は、習慣的にハンドルを適当な角度に傾斜させる（図７を参照いただきたい）。モップのヘッド部分１を使用者の前部に置いて、前進あるいは後退しやすいようにしてフロアの清掃を行なう。したがって、そのハンドルを傾斜させる際にかかる力はポンプ４に対してかかる一種の力となり得る。また、圧縮スプリング４２及び補助スプリング４７の抵抗もあいまって、使用中のモップに対して押し出す力が、ポンプ４を圧縮する。
【００２１】
７、  図８を参照いただきたい。本考案のモップを使用しない時、残った洗浄液が、噴出口から垂れたり、不注意でハンドルに触ってポンプ４を圧縮したりしないように、出水ノズル２４を上に押し上げることで、出水道２４３が流出口２２１から離脱する。そして、止水パーツ２３によって漏れを防ぐので、洗浄液が漏れ出すことがない。
【００２２】
図９を参照いただきたい。第二の実施例におけるポンプ４’と第一実施例のポンプ４は全く同じ構造である。異なるのは、前述のポンプ４の設置方向が逆さまである点である。その構造は、ポンプ４’の出口４１１’から吸入管３２’が伸びている。そして、洗浄液貯蔵槽２に突出した固定柱Ｃにはめ込まれて固定される。さらに、その吸入管３２’の底端には吸入口’が開いている。
【００２３】
また、第一実施例と同様の押し出しブロック２６は、その固定ブロック２６３が直接ポンプ４’内のメイン押し出しパイプ４６’内に固定される。さらに、前述のメイン押し出しパイプ４６’は輸送管Ｄに連結されて、出水ノズル２４’の出水道２４３’に至る。そして、筒型固定ふた２５の軸穴２５４内には、補助スプリング４７’が前述の軸穴２５４内に設置されて、ハンドルとの接続管Ａにある押さえ板Ａ１によって、前述の補助スプリング４７’を押さえる。さらに、ハンドルとの接続管Ａは固定キャップＥを貫き、筒型固定ふた２５の軸穴２５４の上方に固定されて、補助スプリング４７’はハンドルの往復圧縮動作によって、軸穴２５４内で圧縮及び復元動作を行う。
【００２４】
その操作順序は以下の通りである。
１、  図１０を参照いただきたい。ハンドルとの接続管Ａが押し出しブロック２６を押すと、メイン押し出しパイプ４６’が下に押し下げられる。相対に、メイン押し出しパイプ４６がポンプ４’内部に進入する。同時に、止水弁４３が下に押されて、ピストン４４を離脱させ、互いの間に隙間Ｂを形成する。図１１を参照いただきたい。前述の中間押し出しパイプ４５は引き続きメイン押し出しパイプ４６’の押し出す動きを受けて前進し、さらに、止まり４６１によってピストン４４を動かし、ポンプ４’内部の圧縮室４８の洗浄液Ｗを圧縮する。ボール弁４１は一方で圧力に押され、一方で圧縮スプリング４２の圧迫を受ける。そして、出口４１１’を塞ぎ、洗浄液Ｗはピストン４４に圧縮される。前述の隙間Ｂを経て中間押し出しパイプ４５、メイン押し出しパイプ４６、輸送管Ｄ、出水ノズル２４’の出水道２４３’に進入して、ノズル口２４２’から洗浄液が噴出される。
【００２５】
２、  使用者がハンドルＡを押し続けないと、逆に、図１１から図９の動作に戻る。すなわち、ポンプ４’内部の圧縮スプリング４２及び補助スプリング４７’の元に戻る力によって、メイン押し出しパイプ４６’が上に押し上げられる。同時に、ピストン４４はポンプ４’内壁の摩擦力で、止水弁４３の位置まで下がり、隙間Ｂを塞ぐ。この時、メイン押し出しパイプ４６’が上昇し、相対にピストンがポンプ４’の圧縮室４８内の洗浄液を抜き取り、ボール弁４１は前述の吸入力を受けて、出口４１１’から離脱し、隙間Ｂ’を形成する。この吸入力が、吸入口３２１’及び吸入管３２’から、洗浄液を吸入し、隙間Ｂ’を経て、ポンプ４’の圧縮室４８内に一時保存される。
【００２６】
３、  前述のステップに従い、ハンドルのポンプ４’に対する圧縮及び下に戻る往復運動により、必要な洗浄液が噴出される。
【００２７】
図１２、図１３を参照いただきたい。モップのヘッド部分１は板部分１３及び板面１４からなる。板部分１３の前後両側には、それぞれ、のこぎり状固定槽１３１がある。そして、上面には、数個の弾力性のある挟み板１３２がある。板面１４は、両側の傾斜に向かって傾斜スライド１４１がある。
【００２８】
二つ同じ形のп型伸縮支え棒１５は、それぞれ、開口部の両側に、垂直で上向きの突起耳１５１があり、内側に向かってスライド棒１５２が伸びている。п型伸縮支え棒１５が板部分１３の下方に取り付けられると、その突起耳１５１がちょうどのこぎり状固定槽１３１から突出し、п型伸縮支え棒１５自身の拡張する弾力性によって、突起耳１５１をのこぎり状固定槽１３１の固定槽１３１１内に固定する。
【００２９】
前述の板面１４と板部分１３は結合して、板面１４の傾斜スライド１４１がちょうどп型伸縮支え棒１５のスライド棒１５２に当たる。п型伸縮支え棒１５の両側の突起耳１５１が外から内側に向かってひねられると、前述の突起耳１５１はのこぎり状固定槽１３１の固定槽１３１１から離脱し、各п型伸縮支え棒１５はモップのヘッド部分１の両側に向かって伸縮する。さらに、突起耳１５１を解き放ち、前述の固定槽１３１１内に固定する。そして、前述の傾斜スライド１４１によって前述のスライド棒１５２を両側に向かって傾斜させる。
【００３０】
したがって、モップヘッド５の長さがモップのヘッド部分１の長さを超えた時、п型伸縮支え棒１５がモップヘッド５両側のポケット５１内に入り、外に向かって拡張することで固定される（図７を参照いただきたい）。そして、外に向かって傾斜したп型伸縮支え棒１５によって、モップヘッド５の両側が固定され、前述の板面１４の清掃布と同一平面となり（図１３Ａを参照いただきたい）、モップヘッド５の全体の使用効果を高める。図１４を参照いただきたい。モップのヘッド部分１の弾力性のある挟み板１３２は、不織布あるいはその他の清掃布６を押し入れてかませることが可能であり、多様な使用方法が可能である。
【図面の簡単な説明】
【００３１】
【図１】本考案の組立断面図である。
【図２】本考案の筒型の固定ふたの立体断面図である。
【図３】本考案の出水ノズルと洗剤液貯蔵桶の立体分解図である。
【図４】本考案の第一実施例の第１ステップの動作図である。
【図４Ａ】本考案の図４の部分拡大図である。
【図５】本考案の第一実施例の第２及び第４ステップの動作図である。
【図５Ａ】本考案の図５の部分拡大図である。
【図６】本考案の第一実施例の第３ステップの動作図である。
【図６Ａ】本考案の図６の部分拡大図である。
【図７】本考案の使用状態の見取り図である。
【図８】本考案の出水ノズルの操作状況を示した見取り図である。
【図９】本考案の第二実施例の組立断面図である。
【図１０】本考案の第二実施例の第１ステップの動作図である。
【図１１】本考案の第二実施例の第２ステップの動作図である。
【図１２】本考案のモップヘッド部分のパーツの立体分解図である。
【図１３】本考案のモップヘッド部分の立体組立図である。
【図１３Ａ】本考案のモップヘッド部分の実施例の平面見取り図である。
【図１４】本考案のモップヘッド部分のもう一つの実施例図である。
【符号の説明】
【００３２】
１      モップのヘッド部分        １１    結合部分  
１２    接続管                    １３    板部分
１３１  のこぎり状固定槽          １３２  弾力性のある挟み板
１４    板面                      １４１  傾斜スライド
１５    п型伸縮支え棒            １５１  突起耳
１５２  スライド棒                １３１１  固定槽
２      洗浄液貯蔵槽              ２１    螺旋管
２２    はめ込み槽                ２２１  流出口
２２２  突起                      ２２３  固定穴
２３    漏れ防止パーツ            ２４、２４’  出水ノズル
２４１  回転ヘッド                ２４２、２４２’  ノズル口
２４３、２４３’  出水道          ２３    止水パーツ
２５    筒型固定ふた              ２５１  漏れ防止リング
２５２  注入口                    ２５３  栓
２５４  軸穴                      ２５４１  中心穴
２５４２  Ｏ型リング              ２５５  固定歯車
２６    押し出しブロック          ２６１  筒
２６２    固定歯車                ２６３  固定ブロック
２７    固定軸栓                  ３      湾曲管
３１    固定槽                    ３２、３２’  吸入管
３２１’  吸入口                  ３３    通り道
４、４’  ポンプ                  ４１    ボール弁
４２    圧縮スプリング            ４１１、４１１’  出口
４３    止水弁                    ４４    ピストン
４５    中間押し出しパイプ        ４６１  止まり
４６、４６’  メイン押し出しパイプ    ４７、４７’  補助スプリング
４８    圧縮室                    ４９    筒型栓
５      モップヘッド              ６      不織布
Ｗ      洗浄液                    Ａ      ハンドルとの接続管
Ａ１    押さえ板                  Ｂ、Ｂ’  隙間
Ｃ      固定栓                    Ｄ      輸送管
Ｅ      固定キャップ
【図１】
0003101540.tif 000003
【図２】
0003101540.tif 000004
【図３】
0003101540.tif 000005
【図４】
0003101540.tif 000006
【図４Ａ】
0003101540.tif 000007
【図５】
0003101540.tif 000008
【図５Ａ】
0003101540.tif 000009
【図６】
0003101540.tif 000010
【図６Ａ】
0003101540.tif 000011
【図７】
0003101540.tif 000012
【図８】
0003101540.tif 000013
【図９】
0003101540.tif 000014
【図１０】
0003101540.tif 000015
【図１１】
0003101540.tif 000016
【図１２】
0003101540.tif 000017
【図１３】
0003101540.tif 000018
【図１３Ａ】
0003101540.tif 000019
【図１４】
0003101540.tif 000020
【手続補正書】
【提出日】平成15年12月5日(2003.12.5)
【手続補正１】
【補正対象書類名】実用新案登録請求の範囲
【補正対象項目名】全文
【補正方法】変更
【補正の内容】
【実用新案登録請求の範囲】
【請求項１】
その上部が結合部分によって接続管に連結しているモップのヘッド部分と、
その底部に螺旋管が伸びていて、前述の接続管に固定され、前向きに出水ノズルが設けら
れた洗浄液貯蔵槽と、
前述の洗浄液貯蔵槽に固定されて、漏れ防止リングによって漏れを防いでいて、さらに、
その適当な位置に注入口があり、栓で封がされて、洗浄液が補充できるようになっていて
、その先端には軸穴があり、軸穴の後ろの端の中心穴の縁には、Ｏ型リングがあって、固
定軸栓が軸穴内に固定される筒型固定ふたと、
その一端に筒があり、下方に固定ブロックが伸びた押し出しブロックと、
前述の固定軸栓を貫通して、前述の押し出しブロックの筒にはめ込まれたハンドルとの接
続管と、
その上方に固定槽があり、前述の押し出しブロックの固定ブロックがはまり込むように
なっていて、適当な位置に吸入管があり、その通り道と合い通じていて、ポンプの通り道
に連結する湾曲管と、
その先端の通り道が前述の湾曲管の通り道にはまり込んで、もう一方の底端のメイン押
し出しパイプが洗浄液貯蔵槽底端の固定穴内にはめられ、前述の押し出しブロックと洗浄
液貯蔵槽底端の固定穴の間に位置するポンプからなり、
ハンドルがポンプに対して押し出し及び元に戻る往復運動を行ない、洗浄液が吸入管か
らポンプ内に吸入され、さらに、ポンプ内のピストンによって洗浄液が圧縮されて、メイ
ン押し出しパイプから出水ノズルのノズル口に進入し、必要な量を噴出するという特長を
持ち、便利、且つ、組み立てが簡単で、安定した操作が行なえ、コストの削減が可能な洗
浄液の供給が可能なモップの構造。
【請求項２】
その出水ノズルは、一端にカーブした回転ヘッドがあり、もう一端にはノズル口があって
、その内部を出水道が貫通していて、洗浄液貯蔵槽前端の下方にはめ込み槽があり、その
中心に流出口があって、周囲に止水パーツが取り付けられていて、さらに、はめ込み槽の
口には突起があって、回転ヘッドが洗浄液貯蔵槽のはめ込み槽内にはまり込むようになっ
ていて、前述の突起によって固定し、止水パーツによって漏れを防ぎ、同時に出水ノズル
が上下に動くようになっている、請求項１に記載の洗浄液の供給が可能なモップの構造。
【請求項３】
筒型固定ふたの中心穴の端に、放射線状に固定歯車が設けられていて、押し出しブロック
の、その対応する位置にも放射線状に固定歯車があり、互いにかみ合って、ポンプが動く
のを防いでいる、請求項１に記載の洗浄液の供給が可能なモップの構造。
【請求項４】
ポンプの下方に補助スプリングがあって、ポンプの回復力を高めている、請求項１に記載
の洗浄液の供給が可能なモップの構造。
【請求項５】
ポンプの先端にボール弁があり、圧縮スプリングによって支え、ポンプの先端の通り道に
突き当たり、前述の圧縮スプリングのもう一方の端が止水弁に突き当たって、さらに、そ
の止水弁がピストンを塞ぎ、前述の止水弁の下端は中間押し出しパイプに支えられ、同時
に前述の中間押し出しパイプ下端がメイン押し出しパイプにはまり込み、そのメイン押し
出しパイプの先端には止まりがあって、ピストンを止め、さらに、筒型栓がメイン押し出
しパイプによってはまり込み、ピストンの底部内に固定されることにより、筒型栓が前述
のメイン押し出しパイプを支え、同時にピストンとメイン押し出しパイプの止まりの間に
適当な距離を保ち、メイン押し出しパイプの止まりに突き当たって、メイン押し出しパイ
プが脱出しないようにしていて、メイン押し出しパイプ下端が洗浄液貯蔵槽内底部の固定
穴内にはまり込んで、ピストン底端と洗浄液貯蔵槽底端の間を支えるという特長を持つ、
請求項１に記載の洗浄液の供給が可能なモップの構造。
【請求項６】
ハンドルとの接続管、押し出しブロック、ピストン、メイン押し出しパイプ、接続管、モ
ップのヘッド部分の中心線が縦に垂直になる、請求項１に記載の洗浄液の供給が可能なモ
ップの構造。
【請求項７】
中間押し出しパイプ、メイン押し出しパイプ、固定穴、流出口及び出水ノズルのノズル口
が、洗浄液の通り道となる、請求項１に記載の洗浄液の供給が可能なモップの構造。
【請求項８】
第一実施例のポンプと第二実施例のポンプの位置が逆さまに設置され、ポンプの出口から
吸入管が伸びていて、さらに、洗浄液貯蔵槽の固定柱にはまり固定され、その吸入管の底
端に吸入口があって、メイン押し出しパイプが直接輸送管に接続されて、出水ノズルの出
水道に至る、請求項１に記載の洗浄液の供給が可能なモップの構造。
【請求項９】
その筒型固定ふたの軸穴内に補助スプリングがあって、ハンドルとの接続管に押さえ板が
固定されていて、前述の補助スプリングを固定し、さらに、固定キャップによって前述の
軸穴上方に固定され、補助スプリングがハンドルの往復圧縮動作によって、軸穴内におい
て圧縮及び元に戻る動作を行なうという特長を持つ、請求項８に記載の洗浄液の供給が可
能なモップの構造。